Podtech/llm-jp-corpus-v4-ja_patent huggingface dataset:
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
始動条件が成立した場合、遊技者に有利な特別遊技を実行するか否かを判定するとともに該判定の結果を報知するための報知演出を実行し、該判定の結果が特別判定結果である場合は前記特別遊技を実行する遊技機であって、
前記報知演出には、複数の特定演出のうちいずれかの前記特定演出を実行する報知演出が含まれ、
前記複数の特定演出には、タイトルを表示するタイトル表示演出を実行する第１特定演出と、該第１特定演出とは異なるタイトル表示演出を実行する第２特定演出と、が含まれ、
前記タイトル表示演出には、第１の態様でタイトルを表示する第１のタイトル表示演出と、該第１のタイトル表示演出と同様のタイトルであっても前記第１の態様とは異なる第２の態様でタイトルを表示する第２のタイトル表示演出とが含まれ、
前記タイトル表示演出は、前記第１のタイトル表示演出である場合よりも前記第２のタイトル表示演出である場合の方が、前記判定の結果が前記特別判定結果である期待度が高いことを示唆する演出であり、
前記特別判定結果となる前記報知演出において、第１示唆演出と、該第１示唆演出よりも前記特別判定結果である可能性が高いことを期待させる第２示唆演出と、を実行可能であり、
前記第１特定演出が実行される前記報知演出と、前記第２特定演出が実行される前記報知演出とでは、前記第１示唆演出と前記第２示唆演出の実行割合が異なり、
前記第１特定演出と前記第２特定演出とでは、前記第１のタイトル表示演出と前記第２のタイトル表示演出の実行割合が異なる、ことを特徴とする遊技機。
【手続補正２】
【補正対象書類名】明細書
【補正対象項目名】０００６
【補正方法】変更
【補正の内容】
【０００６】
本発明にかかる遊技機は、始動条件が成立した場合、遊技者に有利な特別遊技を実行するか否かを判定するとともに該判定の結果を報知するための報知演出を実行し、該判定の結果が特別判定結果である場合は前記特別遊技を実行する遊技機であって、前記報知演出には、複数の特定演出のうちいずれかの前記特定演出を実行する報知演出が含まれ、前記複数の特定演出には、タイトルを表示するタイトル表示演出を実行する第１特定演出（例えば、ＳＰリーチ１）と、該第１特定演出とは異なるタイトル表示演出を実行する第２特定演出（例えば、ＳＰＳＰリーチ１）と、が含まれ、前記タイトル表示演出には、第１の態様（例えば、黒文字）でタイトルを表示する第１のタイトル表示演出（タイトルの態様が「黒文字」）と、該第１のタイトル表示演出と同様のタイトルであっても前記第１の態様とは異なる第２の態様（例えば、赤文字）でタイトルを表示する第２のタイトル表示演出（タイトルの態様が「赤文字」）とが含まれ、前記タイトル表示演出は、前記第１のタイトル表示演出（タイトルの態様が「黒文字」）である場合よりも前記第２のタイトル表示演出（タイトルの態様が「赤文字」）である場合の方が、前記判定の結果が前記特別判定結果である期待度が高いことを示唆する演出であり、前記特別判定結果となる前記報知演出において、第１示唆演出（弱予告）と、該第１示唆演出よりも前記特別判定結果である可能性が高いことを期待させる第２示唆演出（強予告）と、を実行可能であり、前記第１特定演出（例えば、ＳＰリーチ１）が実行される前記報知演出と、前記第２特定演出（例えば、ＳＰＳＰリーチ１）が実行される前記報知演出とでは、前記第１示唆演出（弱予告）と前記第２示唆演出（強予告）の実行割合が異なり（図４３）、前記第１特定演出（例えば、ＳＰリーチ１）と前記第２特定演出（例えば、ＳＰリーチ１）とでは、前記第１のタイトル表示演出（タイトルの態様が「黒文字」）と前記第２のタイトル表示演出（タイトルの態様が「赤文字」）の実行割合が異なる（図４４）、ことを特徴とする。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
所定領域へと遊技球が近付くにつれて出力信号のレベルを第１方向に変化させ、前記所定領域から前記遊技球が離れるにつれて前記出力信号のレベルを前記第１方向とは反対の第２方向に変化させる出力手段と、
所定間隔で繰り返し実行される割込み処理において、前記出力信号のレベルを検出し、当該検出結果に基づいて、前記所定領域に対する遊技球の通過の有無を判定する通過有無判定手段と、
前記通過有無判定手段により前記所定領域に対する遊技球の通過が有ったと判定されたことにより取得された判定情報に基づいて、特別遊技を行うか否かの特別遊技判定を実行する特別遊技判定手段と、
前記特別遊技判定が行われることに伴い、遊技に関する遊技履歴を記憶手段に記憶する遊技履歴記憶制御手段と、
前記記憶手段に記憶されている前記遊技履歴に基づいて、履歴情報を表示する履歴情報表示手段とを備え、
前記通過有無判定手段は、
前記出力信号のレベルが、第１判定と第２判定とのいずれかを実行可能であり、各回の前記割り込み処理において、前記第１判定または前記第２判定を複数回実行可能な第１判定手段と、
各回の前記割り込み処理において、前記第１判定手段により複数回の前記第１判定が行われると、前記所定領域を遊技球が通過したと判定する第２判定手段とを有し、
前記第１判定手段は、
前記出力信号のレベルが、所定の第１閾値レベルよりも前記第１方向側にある場合に、前記第１判定を行い、
前回の判定処理において前記第２判定を行った場合には、前記出力信号のレベルが、前記第１閾値レベルよりも前記第２方向側にある場合に前記第２判定を行い、
前回の判定処理において前記第１判定を行った場合には、前記出力信号のレベルが、前記第１閾値よりも前記第２方向側に位置する第２閾値レベルよりも前記第２方向側にある場合に前記第２判定を行う、遊技機。
【手続補正２】
【補正対象書類名】明細書
【補正対象項目名】０００７
【補正方法】変更
【補正の内容】
【０００７】
本発明に係る遊技機（１）は、
所定領域へと遊技球が近付くにつれて出力信号のレベルを第１方向に変化させ、前記所定領域から前記遊技球が離れるにつれて前記出力信号のレベルを前記第１方向とは反対の第２方向に変化させる出力手段（１１１ａ、１１１ｂ）と、
所定間隔で繰り返し実行される割込み処理において、前記出力信号のレベルを検出し、当該検出結果に基づいて、前記所定領域に対する遊技球の通過の有無を判定する通過有無判定手段（１００）と、
前記通過有無判定手段により前記所定領域に対する遊技球の通過が有ったと判定されたことにより取得された判定情報に基づいて、特別遊技を行うか否かの特別遊技判定を実行する特別遊技判定手段（１００）と、
前記特別遊技判定が行われることに伴い、遊技に関する遊技履歴を記憶手段に記憶する遊技履歴記憶制御手段（４００、５００）と、
前記記憶手段に記憶されている前記遊技履歴に基づいて、履歴情報を表示する履歴情報表示手段（４００、５００）とを備え、
前記通過有無判定手段は、
前記出力信号のレベルが、第１判定と第２判定とのいずれかを実行可能であり、各回の前記割り込み処理において、前記第１判定または前記第２判定を複数回実行可能な第１判定手段（１００）と、
各回の前記割り込み処理において、前記第１判定手段により複数回の前記第１判定が行われると、前記所定領域を遊技球が通過したと判定する第２判定手段（１００）とを有し、
前記第１判定手段は、
前記出力信号のレベルが、所定の第１閾値レベルよりも前記第１方向側にある場合に、前記第１判定を行い、
前回の判定処理において前記第２判定を行った場合には、前記出力信号のレベルが、前記第１閾値レベルよりも前記第２方向側にある場合に前記第２判定を行い、
前回の判定処理において前記第１判定を行った場合には、前記出力信号のレベルが、前記第１閾値よりも前記第２方向側に位置する第２閾値レベルよりも前記第２方向側にある場合に前記第２判定を行う。
【手続補正３】
【補正対象書類名】明細書
【補正対象項目名】０００８
【補正方法】削除
【補正の内容】
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
上部に籾殻投入口を設けるとともに底部に籾殻排出口を設けてなる鋼板製の籾殻タンクの周囲を筒状の外壁で囲繞してそれらの間に形成される空間を塵埃沈降室となし、前記筒状外壁の筒身部に、一端を乾燥機等に接続された集塵ダクトの他端部を連結し、前記塵埃沈降室の下部を集塵室となす一方、前記筒状外壁の上端に天板を設けるとともに該天板の中央部には前記塵埃沈降室と連通する排気口を開口することを特徴とするカントリーエレベータにおける集塵装置。
【請求項２】
前記集塵室に塵埃取出用開口部を設けてなる請求項１のカントリーエレベータにおける集塵装置。
【手続補正２】
【補正対象書類名】明細書
【補正対象項目名】０００７
【補正方法】変更
【補正の内容】
【０００７】
上記目的を達成するため、本発明は、
上部に上部に籾殻投入口を設けるとともに底部に籾殻排出口を設けてなる鋼板製の籾殻タンクの周囲を筒状の外壁で囲繞（にょう）してそれらの間に形成される空間を塵埃沈降室となし、前記筒状外壁の筒身部に、一端を乾燥機等に接続された集塵ダクトの他端部を連結し、前記塵埃沈降室の下部を集塵室となす一方、前記筒状外壁の上端に天板を設けるとともに該天板の中央部には前記塵埃沈降室と連通する排気口を開口することを特徴とする。
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
運動している検体から検出された生体信号を処理する生体信号処理装置であって、
該検体から検出された脈波を表す脈波信号を取得する脈波信号取得手段と、
該検体から検出された体動を表す体動信号を取得する体動信号取得手段と、
該脈波信号を周波数解析して、周波数領域の脈波のスペクトルに変換する脈波周波数解析手段と、
該体動信号を周波数解析して、周波数領域の体動のスペクトルに変換する体動周波数解析手段と、
上記の体動周波数解析手段で得られた体動のスペクトルを、該体動が検出された位置に応じて所望の周波数領域のスペクトルに変換した変換スペクトルを得る周波数変換手段と、
上記の脈波周波数解析手段で得られた脈波のスペクトルから、上記の周波数変換手段で得られた体動の変換スペクトルのピーク部分の周波数に相当する成分を減衰させる体動成分減衰手段とを備える
ことを特徴とする、生体信号処理装置。
【請求項２】
上記の周波数変換手段で得られた体動の変換スペクトルと、上記の体動周波数解析手段で得られた体動のスペクトルとを重ね合わせて重合スペクトルを得る重合処理手段を備え、
該体動成分減衰手段は、上記の脈波周波数解析手段で得られた脈波のスペクトルから、上記の重合処理手段で得られた体動の重合スペクトルのピーク部分の周波数に相当する成分を減衰させる
ことを特徴とする、請求項１に記載の生体信号処理装置。
【請求項３】
上記の体動成分減衰手段で得られた脈波のスペクトルからスペクトル強度が最大のピークを検出するピーク検出手段を備える
ことを特徴とする、請求項１または請求項２に記載の生体信号処理装置。
【請求項４】
上記の体動成分減衰手段で得られた脈波のスペクトルに対して、過去の検出により得られた心拍数に対応する周波数を中心点として、上記の中心点の周波数から離れるにつれてスペクトル強度が減少する重み付けを行なう重み付け手段を備え、
該ピーク検出手段は、上記の重み付け手段で得られた脈波のスペクトルからスペクトル強度が最大のピークを検出する
ことを特徴とする、請求項３に記載の生体信号処理装置。
【請求項５】
運動している検体から検出された生体信号を処理する生体信号処理方法であって、
該検体から検出された脈波を表す脈波信号を取得する脈波信号取得ステップと、
該検体から検出された体動を表す体動信号を取得する体動信号取得ステップと、
該脈波信号を周波数解析して、周波数領域の脈波のスペクトルに変換する脈波周波数解析ステップと、
該体動信号を周波数解析して、周波数領域の体動のスペクトルに変換する体動周波数解析ステップと、
上記の体動周波数解析ステップで得られた体動のスペクトルを、該体動が検出された位置に応じて所望の周波数領域のスペクトルに変換した変換スペクトルを得る周波数変換ステップと、
上記の脈波周波数解析ステップで得られた脈波のスペクトルから、上記の周波数変換ステップで得られた体動の変換スペクトルのピーク部分の周波数に相当する成分を減衰させる体動成分減衰ステップと、
上記の体動成分減衰ステップで得られた脈波のスペクトルからスペクトル強度が最大のピークを検出するピーク検出ステップと、
上記の体動成分減衰ステップで得られた脈波のスペクトルに対して、過去の検出により得られた心拍数に対応する周波数を中心点として、上記の中心点の周波数から離れるにつれてスペクトル強度が減少する重み付けを行なう重み付けステップとを備え、
該ピーク検出ステップは、上記の重み付けステップで得られた脈波のスペクトルからスペクトル強度が最大のピークを検出する
ことを特徴とする、生体信号処理方法。
【手続補正２】
【補正対象書類名】明細書
【補正対象項目名】発明の名称
【補正方法】変更
【補正の内容】
【発明の名称】生体信号処理装置及び生体信号処理方法
【手続補正３】
【補正対象書類名】明細書
【補正対象項目名】０００１
【補正方法】変更
【補正の内容】
【０００１】
本発明は、運動している検体から検出された生体信号を処理する生体信号処理装置及び生体信号処理方法に関するものである。
【手続補正４】
【補正対象書類名】明細書
【補正対象項目名】００２４
【補正方法】変更
【補正の内容】
【００２４】
（４）ここで開示する生体信号処理方法は、運動している検体から検出された生体信号を処理する生体信号処理方法であって、該検体から検出された脈波を表す脈波信号を取得する脈波信号取得ステップと、該検体から検出された体動を表す体動信号を取得する体動信号取得ステップと、該脈波信号を周波数解析して、周波数領域の脈波のスペクトルに変換する脈波周波数解析ステップと、該体動信号を周波数解析して、周波数領域の体動のスペクトルに変換する体動周波数解析ステップと、上記の体動周波数解析ステップで得られた体動のスペクトルを、該体動が検出された位置に応じて所望の周波数領域のスペクトルに変換した変換スペクトルを得る周波数変換ステップと、上記の脈波周波数解析ステップで得られた脈波のスペクトルから、上記の周波数変換ステップで得られた体動の変換スペクトルのピーク部分の周波数に相当する成分を減衰させる体動成分減衰ステップとを備える。
また、上記の体動成分減衰ステップで得られた脈波のスペクトルからスペクトル強度が最大のピークを検出するピーク検出ステップを備える。
さらに、上記の体動成分減衰ステップで得られた脈波のスペクトルに対して、過去の検出により得られた心拍数に対応する周波数を中心点として、上記の中心点の周波数から離れるにつれてスペクトル強度が減少する重み付けを行なう重み付けステップを備え、該ピーク検出ステップは、上記の重み付けステップで得られた脈波のスペクトルからスペクトル強度が最大のピークを検出する。
【手続補正５】
【補正対象書類名】明細書
【補正対象項目名】００２７
【補正方法】削除
【補正の内容】
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
前記操作手段を用いる第１操作演出及び第２操作演出を含む複数の演出内容が格納されている演出格納手段と、
前記演出格納手段に格納されている演出内容を表示する表示手段と、
所定の選択内容に関する情報を格納する選択内容格納手段と、
所定の決定内容に関する情報を格納する決定内容格納手段と、
前記第１操作演出において、前記操作手段による選択操作によって選択された選択内容を決定内容とする第１選択内容決定手段と、
前記第２操作演出において、前記操作手段による選択操作によって選択された選択内容を、前記操作手段による決定操作によって決定内容とする第２選択内容決定手段と、
前記第１操作演出では、前記操作手段による選択操作によって選択された選択内容を決定内容として、該決定内容に関する情報が前記決定内容格納手段に格納され、
前記第２操作演出では、前記操作手段による選択操作によって選択された選択内容に関する情報が前記選択内容格納手段に格納され、前記操作手段による決定操作によって、選択内容を決定内容として、該決定内容に関する情報が前記決定内容格納手段に格納され、
前記表示手段は、前記第２操作演出の終了後、再び当該第２操作演出を開始する場合、前記決定内容格納手段に格納された内容に応じて、選択内容を表示する遊技機。
【手続補正２】
【補正対象書類名】明細書
【補正対象項目名】０００７
【補正方法】変更
【補正の内容】
【０００７】
請求項１の発明によれば、遊技者が操作可能な操作手段（図１に示す設定ボタン１５参照）と、
前記操作手段（図１に示す設定ボタン１５参照）を用いる第１操作演出（図４（ａ）に示す液晶表示装置４１に表示されている画面例参照）及び第２操作演出（図１１に示す液晶表示装置４１に表示されている画面例参照）を含む複数の演出内容が格納されている演出格納手段（図３に示す演出制御ＲＯＭ９０１参照）と、
前記演出格納手段（図３に示す演出制御ＲＯＭ９０１参照）に格納されている演出内容を表示する表示手段（図２に示す液晶表示装置４１参照）と、
所定の選択内容に関する情報を格納する選択内容格納手段（図６に示す演出制御ＲＡＭ９０２の選択内容一時記憶領域９０２ａ参照）と、
所定の決定内容に関する情報を格納する決定内容格納手段（図６に示す演出制御ＲＡＭ９０２の決定内容記憶領域９０２ｂ参照）と、
前記第１操作演出（図４（ａ）に示す液晶表示装置４１に表示されている画面例参照）において、前記操作手段（図１に示す設定ボタン１５参照）による選択操作によって選択された選択内容を決定内容とする第１選択内容決定手段（図７に示すステップＳ１１参照）と、
前記第２操作演出（図１１に示す液晶表示装置４１に表示されている画面例参照）において、前記操作手段（図１に示す設定ボタン１５参照）による選択操作によって選択された選択内容を、前記操作手段（図１に示す設定ボタン１５参照）による決定操作によって決定内容とする第２選択内容決定手段（図１０に示すステップＳ３２３参照）と、
前記第１操作演出（図４（ａ）に示す液晶表示装置４１に表示されている画面例参照）では、前記操作手段（図１に示す設定ボタン１５参照）による選択操作によって選択された選択内容を決定内容として、該決定内容に関する情報が前記決定内容格納手段（図６に示す演出制御ＲＡＭ９０２の決定内容記憶領域９０２ｂ参照）に格納され、
前記第２操作演出（図１１に示す液晶表示装置４１に表示されている画面例参照）では、前記操作手段（図１に示す設定ボタン１５参照）による選択操作によって選択された選択内容に関する情報が前記選択内容格納手段（図６に示す演出制御ＲＡＭ９０２の選択内容一時記憶領域９０２ａ参照）に格納され、前記操作手段（図１に示す設定ボタン１５参照）による決定操作によって、選択内容を決定内容として、該決定内容に関する情報が前記決定内容格納手段（図６に示す演出制御ＲＡＭ９０２の決定内容記憶領域９０２ｂ参照）に格納され、
前記表示手段（図２に示す液晶表示装置４１参照）は、前記第２操作演出（図１１に示す液晶表示装置４１に表示されている画面例参照）の終了後、再び当該第２操作演出（図１１に示す液晶表示装置４１に表示されている画面例参照）を開始する場合、前記決定内容格納手段（図６に示す演出制御ＲＡＭ９０２の決定内容記憶領域９０２ｂ参照）に格納された内容に応じて、選択内容を表示することを特徴としている。
【手続補正３】
【補正対象書類名】明細書
【補正対象項目名】０１７５
【補正方法】変更
【補正の内容】
【０１７５】
１                    パチンコ遊技機
１５                  設定ボタン（操作手段）
４１                  液晶表示装置（表示手段）
９００                演出制御ＣＰＵ
９０１                演出制御ＲＯＭ（演出格納手段）
９０２                演出制御ＲＡＭ
９０２ａ              選択内容一時記憶領域（選択内容格納手段）
９０２ｂ              決定内容記憶領域（決定内容格納手段）
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
所定の検知信号に基づいて図柄変動を開始する図柄変動開始手段と、
遊技者が操作可能な操作手段と、
前記操作手段を用いる第１操作演出及び第２操作演出並びに第３操作演出を含む複数の演出内容が格納されている演出格納手段と、
前記演出格納手段に格納されている演出内容を表示する表示手段と、
所定の選択内容に関する情報を格納する選択内容格納手段と、
所定の決定内容に関する情報を格納する決定内容格納手段と、
前記第１操作演出において、前記操作手段による選択操作によって選択された選択内容を決定内容とする第１選択内容決定手段と、
前記第２操作演出において、前記操作手段による選択操作によって選択された選択内容を、前記操作手段による決定操作によって決定内容とする第２選択内容決定手段と、
前記第３操作演出において、前記操作手段による選択操作によって選択された選択内容を、さらに、所定時間が経過すると決定内容とする第３選択内容決定手段と、を有し、
前記第１操作演出では、前記操作手段による選択操作によって選択された選択内容を決定内容として、該決定内容に関する情報が前記決定内容格納手段に格納され、
前記第２操作演出では、前記操作手段による選択操作によって選択された選択内容に関する情報が前記選択内容格納手段に格納され、前記操作手段による決定操作によって、選択内容を決定内容として、該決定内容に関する情報が前記決定内容格納手段に格納され、
さらに、前記第２操作演出では、前記操作手段による決定操作がなされる前に、前記図柄変動開始手段によって図柄変動が開始された場合には、決定内容に関する情報を前記決定内容格納手段に格納せず、
前記第３操作演出では、前記操作手段による選択操作によって選択された選択内容に関する情報が前記選択内容格納手段に格納され、所定時間が経過すると、前記選択内容を決定内容として、該決定内容に関する情報が前記決定内容格納手段に格納される遊技機。
【手続補正２】
【補正対象書類名】明細書
【補正対象項目名】０００７
【補正方法】変更
【補正の内容】
【０００７】
請求項１の発明によれば、所定の検知信号（図３に示す特別図柄始動口スイッチ４４ａ参照）に基づいて図柄変動を開始する図柄変動開始手段と、
遊技者が操作可能な操作手段（図１に示す設定ボタン１５参照）と、
前記操作手段（図１に示す設定ボタン１５参照）を用いる第１操作演出（図４（ａ）に示す液晶表示装置４１に表示されている画面例参照）及び第２操作演出（図４（ｂ）に示す液晶表示装置４１に表示されている画面例参照）並びに第３操作演出（図５に示す液晶表示装置４１に表示されている画面例参照）を含む複数の演出内容が格納されている演出格納手段（図３に示す演出制御ＲＯＭ９０１参照）と、
前記演出格納手段（図３に示す演出制御ＲＯＭ９０１参照）に格納されている演出内容を表示する表示手段（図２に示す液晶表示装置４１参照）と、
所定の選択内容に関する情報を格納する選択内容格納手段（図６に示す演出制御ＲＡＭ９０２の選択内容一時記憶領域９０２ａ参照）と、
所定の決定内容に関する情報を格納する決定内容格納手段（図６に示す演出制御ＲＡＭ９０２の決定内容記憶領域９０２ｂ参照）と、
前記第１操作演出（図４（ａ）に示す液晶表示装置４１に表示されている画面例参照）において、前記操作手段（図１に示す設定ボタン１５参照）による選択操作によって選択された選択内容を決定内容とする第１選択内容決定手段（図７に示すステップＳ１１参照）と、
前記第２操作演出（図４（ｂ）に示す液晶表示装置４１に表示されている画面例参照）において、前記操作手段（図１に示す設定ボタン１５参照）による選択操作によって選択された選択内容を、前記操作手段（図１に示す設定ボタン１５参照）による決定操作によって決定内容とする第２選択内容決定手段（図１０に示すステップＳ３２３参照）と、
前記第３操作演出（図５に示す液晶表示装置４１に表示されている画面例参照）において、前記操作手段（図１に示す設定ボタン１５参照）による選択操作によって選択された選択内容を、さらに、所定時間が経過すると決定内容とする第３選択内容決定手段（図７に示すステップＳ１１参照）と、を有し、
前記第１操作演出（図４（ａ）に示す液晶表示装置４１に表示されている画面例参照）では、前記操作手段（図１に示す設定ボタン１５参照）による選択操作によって選択された選択内容を決定内容として、該決定内容に関する情報が前記決定内容格納手段（図６に示す演出制御ＲＡＭ９０２の決定内容記憶領域９０２ｂ参照）に格納され、
前記第２操作演出（図４（ｂ）に示す液晶表示装置４１に表示されている画面例参照）では、前記操作手段（図１に示す設定ボタン１５参照）による選択操作によって選択された選択内容に関する情報が前記選択内容格納手段（図６に示す演出制御ＲＡＭ９０２の選択内容一時記憶領域９０２ａ参照）に格納され、前記操作手段（図１に示す設定ボタン１５参照）による決定操作によって、選択内容を決定内容として、該決定内容に関する情報が前記決定内容格納手段（図６に示す演出制御ＲＡＭ９０２の決定内容記憶領域９０２ｂ参照）に格納され、
さらに、前記第２操作演出（図４（ｂ）に示す液晶表示装置４１に表示されている画面例参照）では、前記操作手段（図１に示す設定ボタン１５参照）による決定操作がなされる前に、前記図柄変動開始手段によって図柄変動が開始された場合には、決定内容に関する情報を前記決定内容格納手段（図６に示す演出制御ＲＡＭ９０２の決定内容記憶領域９０２ｂ参照）に格納せず、
前記第３操作演出（図５に示す液晶表示装置４１に表示されている画面例参照）では、前記操作手段（図１に示す設定ボタン１５参照）による選択操作によって選択された選択内容に関する情報が前記選択内容格納手段（図６に示す演出制御ＲＡＭ９０２の選択内容一時記憶領域９０２ａ参照）に格納され、所定時間が経過すると、前記選択内容を決定内容として、該決定内容に関する情報が前記決定内容格納手段（図６に示す演出制御ＲＡＭ９０２の決定内容記憶領域９０２ｂ参照）に格納されることを特徴としている。
【手続補正３】
【補正対象書類名】明細書
【補正対象項目名】０００８
【補正方法】削除
【補正の内容】
【手続補正４】
【補正対象書類名】明細書
【補正対象項目名】０１７６
【補正方法】変更
【補正の内容】
【０１７６】
１                    パチンコ遊技機
１５                  設定ボタン（操作手段）
４１                  液晶表示装置（表示手段）
４４ａ                特別図柄始動口スイッチ（所定の検知信号）
９００                演出制御ＣＰＵ
９０１                演出制御ＲＯＭ（演出格納手段）
９０２                演出制御ＲＡＭ
９０２ａ              選択内容一時記憶領域（選択内容格納手段）
９０２ｂ              決定内容記憶領域（決定内容格納手段）
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
所定の条件を満たした場合に当りに関する抽選を行い、当該抽選が行われたことに基づいて図柄の変動表示が行われ、当該図柄の変動表示が終了すると当該抽選の結果が示される遊技機であって、
前記図柄の変動表示を行う第１表示装置と、
所定の演出画像を表示可能な第２表示装置と、
可動体と、
前記可動体を動作させる可動体制御手段と、を備え、
前記可動体制御手段は、
前記第２表示装置の手前側で前記可動体を動作させたあとに、前記遊技機を正面視して前記第１表示装置に重なる位置まで前記可動体を動作させることを可能とする手段を有する
ことを特徴とする遊技機。
【手続補正２】
【補正対象書類名】明細書
【補正対象項目名】０００４
【補正方法】変更
【補正の内容】
【０００４】
しかしながら、前述したように、同じゲームを繰り返し行うのが遊技機であるため、何かしらの工夫が施された遊技機でなければ、遊技者の興趣が低下するおそれがある。
【手続補正３】
【補正対象書類名】明細書
【補正対象項目名】０００５
【補正方法】削除
【補正の内容】
【手続補正４】
【補正対象書類名】明細書
【補正対象項目名】０００７
【補正方法】変更
【補正の内容】
【０００７】
所定の条件を満たした場合に当りに関する抽選を行い、当該抽選が行われたことに基づいて図柄の変動表示が行われ、当該図柄の変動表示が終了すると当該抽選の結果が示される遊技機であって、前記図柄の変動表示を行う第１表示装置と、所定の演出画像を表示可能な第２表示装置と、可動体と、前記可動体を動作させる可動体制御手段と、を備え、前記可動体制御手段は、前記第２表示装置の手前側で前記可動体を動作させたあとに、前記遊技機を正面視して前記第１表示装置に重なる位置まで前記可動体を動作させることを可能とする手段を有することを特徴とする遊技機。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
超音波振動子が組み込まれ、その超音波振動子に面して作用液を溜める作用槽と、
薬液を溜め、上記作用液に少なくとも底部が浸けられる薬剤槽と、
上記超音波振動子を駆動すべき発振回路およびこの発振回路の出力を送出すべき本体側接点電極を含む本体とを備え、
上記作用槽に対して上記薬剤槽が着脱可能に構成され、
上記本体に対して上記作用槽が着脱可能に構成され、
上記作用槽は、上記作用槽の外壁に沿って鉛直方向に延在する棒状の槽側接点電極を含み、この槽側接点電極の外周面のうち周方向に関して一部に相当する特定部分は上記外壁から露出する一方、上記槽側接点電極の外周面のうち周方向に関して上記特定部分以外の残り部分は上記外壁の内側に埋設されて、上記超音波振動子の電極に導通されており、
上記本体側接点電極は、上記本体に対して上記作用槽が装着されたとき、上記槽側接点電極の外周面の上記特定部分に接触することを特徴とする超音波式ネブライザ。
【請求項２】
請求項１に記載の超音波式ネブライザにおいて、
上記本体は、上記作用槽を取り囲んで収容するための収容部を備え、
上記本体側接点電極は、細長い棒状で、上記収容部の側壁を貫通する横穴に長手方向に沿ってスライド可能に収容され、上記長手方向に関して先端が上記側壁から露出する向きに弾性部材によって付勢されていることを特徴とする超音波式ネブライザ。
【請求項３】
請求項２に記載の超音波式ネブライザにおいて、
上記槽側接点電極は、上記作用槽の上記外壁の互いに反対側の部位に設けられ、
上記本体側接点電極は、上記収容部の側壁に、水平方向に関して互いに対向して設けられていることを特徴とする超音波式ネブライザ。
【請求項４】
請求項１から３までのいずれか一つに記載の超音波式ネブライザにおいて、
上記槽側接点電極は丸棒状であることを特徴とする超音波式ネブライザ。
【請求項５】
請求項４に記載の超音波式ネブライザにおいて、
上記槽側接点電極の下端には先細になった第１のテーパ面が設けられ、
上記本体側接点電極の先端には先細になった第２のテーパ面が設けられていることを特徴とする超音波式ネブライザ。
【請求項６】
請求項５に記載の超音波式ネブライザにおいて、
上記槽側接点電極の上部の外周面の全周は上記外壁の内側に埋設され、
上記槽側接点電極の上部とこの上部を取り囲む上記作用槽の壁との間にシール性をもたせるように、上記槽側接点電極の上部にＯリングが嵌合されていることを特徴とする超音波式ネブライザ。
【請求項７】
請求項６に記載の超音波式ネブライザにおいて、
上記槽側接点電極の上部のうち上記Ｏリングよりも上方の部位に、その部位を取り巻く環状溝が形成され、
上記槽側接点電極は、上記環状溝に圧力嵌めされたＥリングを介して、上記超音波振動子の上記電極に導通されていることを特徴とする超音波式ネブライザ。
【請求項８】
請求項１から７までのいずれか一つに記載の超音波式ネブライザにおいて、
上記槽側接点電極の下端は、上記作用槽の最下部よりも上方に位置していることを特徴とする超音波式ネブライザ。
【請求項９】
請求項１から７までのいずれか一つに記載の超音波式ネブライザにおいて、
上記槽側接点電極はチタンからなることを特徴とする超音波式ネブライザ。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
ドライバが脇見状態であるか否かを判定する脇見状態判定部（８ｅ）と、
ドライバが脇見状態であるときの時間に関する情報を示す脇見時間情報として１回の脇見に係る時間を示す脇見時間を所定期間で累積した脇見累積時間及びドライバが脇見状態であるときの自車両の走行距離に関する情報を示す脇見走行距離情報として１回の脇見に係る走行距離を示す脇見走行距離を所定期間で累積した脇見累積走行距離のうち少なくとも何れかを通知情報として算出する通知情報算出部（８ｆ，８ｇ）と、
前記通知情報を情報通知部（７）から通知させる通知制御部（８ｈ）と、
リセット操作を受付ける操作部（６）と、
リセット操作が受付けられると、前記脇見累積時間及び前記脇見累積走行距離のうち少なくとも何れかをリセットするリセット制御部（８ｉ）と、を備えた安全運転支援装置（２）。
【請求項２】
請求項１に記載した安全運転支援装置において、
前記情報通知部は、表示部（７ａ）と、音声出力部（７ｂ）とを有し、
前記通知制御部は、前記通知情報を、その数値を前記表示部に表示させると共に当該数値のカウントアップに連動して音声を前記音声出力部から音声出力させる安全運転支援装置。
【請求項３】
請求項１又は２に記載した安全運転支援装置において、
前記通知制御部は、ドライバが脇見状態であると判定されて前記通知情報の通知を開始した後にドライバが脇見状態でないと判定されると、所定時間が経過した後に前記通知情報の通知を終了する安全運転支援装置。
【請求項４】
請求項１から３の何れか一項に記載した安全運転支援装置において、
前記通知制御部は、前記脇見時間情報と前記脇見走行距離情報とを同時に通知する安全運転支援装置。
【請求項５】
請求項１から４の何れか一項に記載した安全運転支援装置において、
ドライバが脇見状態であるときの自車両の走行位置に関する情報を示す脇見走行位置情報を算出する脇見走行位置情報算出部（８ｊ）と、
前記通知情報と前記脇見走行位置情報とを対応付けて記憶部（１０）に記憶させる記憶制御部（８ｋ）と、を備えた安全運転支援装置。
【請求項６】
安全運転支援装置（２）の制御部（８）に、
ドライバが脇見状態であるか否かを判定する脇見状態判定手順と、
ドライバが脇見状態であるときの時間に関する情報を示す脇見時間情報として１回の脇見に係る時間を示す脇見時間を所定期間で累積した脇見累積時間及びドライバが脇見状態であるときの自車両の走行距離に関する情報を示す脇見走行距離情報として１回の脇見に係る走行距離を示す脇見走行距離を所定期間で累積した脇見累積走行距離のうち少なくとも何れかを通知情報として算出する通知情報算出手順と、
前記通知情報を情報通知部（７）から通知させる通知制御手順と、
リセット操作が受付けられると、前記脇見累積時間及び前記脇見累積走行距離のうち少なくとも何れかをリセットする手順と、を実行させる安全運転支援プログラム。
【手続補正２】
【補正対象書類名】明細書
【補正対象項目名】０００６
【補正方法】変更
【補正の内容】
【０００６】
請求項１に記載した発明によれば、脇見状態判定部（８ｄ）は、ドライバが脇見状態であるか否かを判定する。通知情報算出部（８ｅ，８ｆ）は、ドライバが脇見状態であるときの時間に関する情報を示す脇見時間情報として１回の脇見に係る時間を示す脇見時間を所定期間で累積した脇見累積時間及びドライバが脇見状態であるときの自車両の走行距離に関する情報を示す脇見走行距離情報として１回の脇見に係る走行距離を示す脇見走行距離を所定期間で累積した脇見累積走行距離のうち少なくとも何れかを通知情報として算出する。通知制御部（８ｇ）は、通知情報を情報通知部（７）から通知させる。操作部（６）は、リセット操作を受付ける。リセット制御部（８ｉ）は、リセット操作が受付けられると、脇見累積時間及び脇見累積走行距離のうち少なくとも何れかをリセットする。
【手続補正３】
【補正対象書類名】明細書
【補正対象項目名】０００７
【補正方法】変更
【補正の内容】
【０００７】
即ち、ドライバが脇見状態になると、単純に警告を行う従来とは異なり、脇見時間情報として脇見累積時間及び脇見走行距離情報として脇見累積走行距離のうち少なくとも何れかを通知情報として算出して通知するようにした。リセット操作が受付けられると、脇見累積時間及び脇見累積走行距離のうち少なくとも何れかをリセットするようにした。ドライバが脇見をしているときの具体的な時間や走行距離を通知することで、脇見をしている事実をドライバに適切に気付かせることができ、脇見に対する自覚をドライバに適切に促すことができる。
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
撮影対象領域を複数の方向から撮影するための複数のカメラと、
前記複数のカメラのうち第１カメラによる撮影により得られる第１画像からオブジェクト領域を抽出する第１画像処理装置と、前記複数のカメラのうち第２カメラによる撮影により得られる第２画像からオブジェクト領域を抽出する第２画像処理装置と、を含む複数の画像処理装置と、
前記複数の画像処理装置によるオブジェクト領域の抽出の結果に基づいて仮想視点画像を生成する画像生成装置と、
を有することを特徴とする画像処理システム。
【請求項２】
前記画像生成装置は、
前記複数の画像処理装置によるオブジェクト領域の抽出の結果を用いてオブジェクトの３次元モデルデータを生成し、
前記３次元モデルデータと仮想視点の位置及び向きに基づいて仮想視点画像を生成することを特徴とする請求項１に記載の画像処理システム。
【請求項３】
前記複数の画像処理装置はデイジーチェーン接続され、
前記画像処理装置により抽出された前記オブジェクト領域の画像データは、前記複数の画像処理装置の接続の順序に従って前記画像生成装置まで送信されることを特徴とする請求項１又は２に記載の画像処理システム。
【請求項４】
前記複数の画像処理装置のそれぞれは、前記オブジェクト領域の画像データの圧縮率が非オブジェクト領域の画像データの圧縮率よりも低くなるように、前記オブジェクト領域の画像データと前記非オブジェクト領域の画像データとのうち少なくとも前記非オブジェクト領域の画像データを圧縮して送信することを特徴とする請求項１乃至３のうち、何れか１項に記載の画像処理システム。
【請求項５】
前記複数の画像処理装置のそれぞれは、前記オブジェクト領域の画像データよりも非オブジェクト領域の画像データの出力フレームレートが低くなるように、前記オブジェクト領域の画像データ及び前記非オブジェクト領域の画像データを送信することを特徴とする請求項１乃至４のうち、何れか１項に記載の画像処理システム。
【請求項６】
前記複数の画像処理装置のうち、前記複数の画像処理装置における予め定められた順序において最初の画像処理装置とは異なる画像処理装置は、前記カメラによる撮影画像から所定領域を抽出した結果に基づく画像データと、前記予め定められた順序において前の画像処理装置による所定領域の抽出結果に基づく画像データとを用いて、前記予め定められた順序において次の画像処理装置に対して出力する画像データを生成することを特徴とする請求項１乃至５のうち、何れか１項に記載の画像処理システム。
【請求項７】
前記画像生成装置は、
仮想視点に関する情報を受け付ける受け付け手段と、
前記受け付け手段により受け付けられた情報に応じた仮想視点に基づいて前記仮想視点画像を生成する生成手段とを有することを特徴とする請求項１乃至６のうち、何れか１項に記載の画像処理システム。
【請求項８】
前記複数のカメラの撮影タイミングを同期させるための同期手段を有することを特徴とする請求項１乃至７のうち、何れか１項に記載の画像処理システム。
【請求項９】
前記複数のカメラと前記複数の画像処理装置は、Ｎ対Ｍ（ＮとＭは共に１以上の整数）で対応することを特徴とする請求項１乃至８のうち、何れか１項に記載の画像処理システム。
【請求項１０】
画像処理装置であって、
カメラによる撮影画像からオブジェクト領域を抽出する抽出手段と、
他のカメラによる撮影画像から他の画像処理装置により抽出されたオブジェクト領域に基づく抽出画像データを前記他の画像処理装置から取得する取得手段と、
前記抽出手段による前記オブジェクト領域の抽出結果と、前記取得手段により前記他の画像処理装置から取得された抽出画像データとに応じた出力画像データを、仮想視点画像を生成するための画像生成装置に対して出力する出力手段とを有することを特徴とする画像処理装置。
【請求項１１】
前記抽出手段は、前記オブジェクト領域として人物の領域を少なくとも抽出することを特徴とする請求項１０に記載の画像処理装置。
【請求項１２】
前記出力手段は、前記出力画像データの圧縮率が非オブジェクト領域に関する画像データの圧縮率よりも低くなるように、前記出力画像データと前記非オブジェクト領域に関する画像データとのうち少なくとも前記非オブジェクト領域に関する画像データを圧縮して出力することを特徴とする請求項１０又は１１に記載の画像処理装置。
【請求項１３】
前記出力手段は、前記出力画像データよりも非オブジェクト領域に関する画像データの出力フレームレートが低くなるように、前記出力画像データ及び前記非オブジェクト領域に関する画像データを出力することを特徴とする請求項１０乃至１２のうち、何れか１項に記載の画像処理装置。
【請求項１４】
画像処理装置の制御方法であって、
カメラによる撮影画像からオブジェクト領域を抽出する抽出ステップと、
他のカメラによる撮影画像から他の画像処理装置により抽出されたオブジェクト領域に基づく抽出画像データを前記他の画像処理装置から取得する取得ステップと、
前記抽出ステップによる前記オブジェクト領域の抽出結果と、前記取得ステップにより前記他の画像処理装置から取得された抽出画像データとに応じた出力画像データを、仮想視点画像を生成するための画像生成装置に対して出力する出力ステップと、
を有することを特徴とする画像処理装置の制御方法。
【請求項１５】
前記抽出ステップは、前記オブジェクト領域として人物の領域を少なくとも抽出することを特徴とする請求項１４に記載の制御方法。
【請求項１６】
コンピュータを、請求項１０乃至１３のうち、何れか１項に記載の画像処理装置の各手段として動作させるためのプログラム。
【手続補正２】
【補正対象書類名】明細書
【補正対象項目名】０００６
【補正方法】変更
【補正の内容】
【０００６】
上記課題を解決するため、本発明に係る画像処理システムは、例えば以下の構成を有する。すなわち、撮影対象領域を複数の方向から撮影するための複数のカメラと、前記複数のカメラのうち第１カメラによる撮影により得られる第１画像からオブジェクト領域を抽出する第１画像処理装置と、前記複数のカメラのうち第２カメラによる撮影により得られる第２画像からオブジェクト領域を抽出する第２画像処理装置と、を含む複数の画像処理装置と、前記複数の画像処理装置によるオブジェクト領域の抽出の結果に基づいて仮想視点画像を生成する画像生成装置とを有する。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
処理室と、
前記処理室内に設けられ、基板を搬送する搬送部と、
前記処理室内に前記基板が搬送される搬送路を挟むように前記搬送路の上下に個別に設けられ、それぞれ前記搬送路に向けて気体を吹き付ける第１の気体供給部及び第２の気体供給部と、
前記処理室内に設けられ、気体の流れを整える整流板と、
を備え、
前記第１の気体供給部及び前記第２の気体供給部は、それぞれ、前記気体を吹き出す長尺の吹出口を有し、前記吹出口の長手方向が水平面内で前記基板の搬送方向に対して同じ方向に傾けられ、前記吹出口が前記基板の搬送方向の上流側に前記気体を吹き出すように設けられており、
前記整流板は、前記搬送路の下方に、前記基板の搬送方向に水平面内で直交するように複数、かつ前記第１の気体供給部または前記第２の気体供給部の前記吹出口の長手方向に沿うように前記基板の搬送方向にずらされて並べられ、各整流板は、第１面及びその第１面の反対面である第２面を有し、前記基板の搬送方向の下流側に倒されることで前記第１面が前記処理室の底面に対向するように配置され、気体の流れを前記第１面に沿う流れと前記第２面に沿う流れにわけるように設けられることを特徴とする基板処理装置。
【請求項２】
前記整流板は、前記処理室の前記底面に、この底面との間に隙間が存在しない状態で設けられることを特徴とする請求項１に記載の基板処理装置。
【請求項３】
前記第１の気体供給部は、前記搬送路の上方に位置しており、
前記処理室は、
前記整流板より前記基板の搬送方向の上流側に位置付けられ、前記処理室の前記底面であって前記第１の気体供給部の前記吹出口に対向する箇所に形成され、前記整流板により整流された前記気体を排出する複数の排気口を有することを特徴とする請求項１または請求項２に記載の基板処理装置。
【請求項４】
前記第１の気体供給部は、前記搬送路の上方に位置しており、
前記処理室は、
前記整流板より前記基板の搬送方向の上流側に位置付けられ、前記処理室の前記底面であって前記第１の気体供給部の前記吹出口に対向する箇所に形成され、前記整流板により整流された前記気体が溜まる空間を形成する底室を有することを特徴とする請求項１ないし請求項３のいずれか一項に記載の基板処理装置。
【請求項５】
前記処理室は、
前記底室に設けられ、前記整流板により整流された前記気体を排出する複数の排気口を有することを特徴とする請求項４に記載の基板処理装置。
【請求項６】
前記底室に設けられ、前記底室内の気体が上方に戻ることを抑える抑制板を有することを特徴とする請求項４または請求項５に記載の基板処理装置。
【請求項７】
前記底室の上方に設けられ、前記底室に向かって飛散した液を受け止める液回収板を有することを特徴とする請求項４ないし請求項６のいずれか一項に記載の基板処理装置。
【手続補正２】
【補正対象書類名】明細書
【補正対象項目名】０００７
【補正方法】変更
【補正の内容】
【０００７】
実施形態に係る基板処理装置は、
処理室と、
前記処理室内に設けられ、基板を搬送する搬送部と、
前記処理室内に前記基板が搬送される搬送路を挟むように前記搬送路の上下に個別に設けられ、それぞれ前記搬送路に向けて気体を吹き付ける第１の気体供給部及び第２の気体供給部と、
前記処理室内に設けられ、気体の流れを整える整流板と、
を備え、
前記第１の気体供給部及び前記第２の気体供給部は、それぞれ、前記気体を吹き出す長尺の吹出口を有し、前記吹出口の長手方向が水平面内で前記基板の搬送方向に対して同じ方向に傾けられ、前記吹出口が前記基板の搬送方向の上流側に前記気体を吹き出すように設けられており、
前記整流板は、前記搬送路の下方に、前記基板の搬送方向に水平面内で直交するように複数、かつ前記第１の気体供給部または前記第２の気体供給部の前記吹出口の長手方向に沿うように前記基板の搬送方向にずらされて並べられ、各整流板は、第１面及びその第１面の反対面である第２面を有し、前記基板の搬送方向の下流側に倒されることで前記第１面が前記処理室の底面に対向するように配置され、気体の流れを前記第１面に沿う流れと前記第２面に沿う流れにわけるように設けられることを特徴とする。
【手続補正３】
【補正対象書類名】明細書
【補正対象項目名】０００８
【補正方法】削除
【補正の内容】
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
光配向法によって形成された配向膜を有する基板を接液処理する接液処理装置であって、
気泡を除去する手段を備え、前記基板に異方性向上液を供給して前記基板表面上に液膜を形成する第１ノズルと、
前記異方性向上液を前記基板に供給するノズルである、少なくとも一つの第２ノズルと、
前記基板を保持する保持手段を有し、前記基板と、前記第１ノズルおよび第２ノズルとを相対的に移動させる搬送手段と、を有し、
前記第２ノズルは、第１ノズルよりも基板搬送方向下流側に設置され、且つ、前記第１ノズルによって前記基板表面上に形成された液膜が存在する状態の前記基板に異方性向上液を供給することができる位置に設置されることを特徴とする接液処理装置。
【請求項２】
前記異方性向上液は、少なくとも、エチルラクテート液、ＩＰＡ、オゾン水のいずれかであることを特徴とする請求項１に記載の接液処理装置。
【請求項３】
光配向法によって形成された配向膜を有する基板を処理する基板処理装置であって、
気泡を除去する手段を備え、前記基板に少なくともエチルラクテート液、ＩＰＡ、オゾン水のいずれかである異方性向上液を供給して前記基板表面上に液膜を形成する第１ノズルと、
前記異方性向上液を前記基板に供給するシャワーノズルである、少なくとも一つの第２ノズルと、を備える接液処理ユニットと、
前記接液処理ユニットで前記基板上に形成された前記液膜を置換するリンス液を供給するシャワーノズルを有するリンス処理ユニットと、
前記リンス処理ユニットにてリンス液が供給された前記基板に気体を供給するスリットノズルを有する乾燥ユニットと、
前記基板を保持する保持手段を有し、前記基板と、前記第１ノズルと前記第２ノズルおよび前記シャワーノズルとを相対的に移動させる搬送手段と、を有し、
前記第２ノズルは、第１ノズルよりも基板搬送方向下流側に設置され、且つ、前記第１ノズルによって前記基板表面上に形成された液膜が存在する状態の前記基板に前記異方性向上液を供給することができる位置に設置されることを特徴とする基板処理装置。
【請求項４】
光配向法によって形成された配向膜を有する基板を搬送手段によって搬送させながら接液処理する接液処理方法であって、
前記基板に第１ノズルから気泡を除去した少なくともエチルラクテート液、ＩＰＡ、オゾン水のいずれかである異方性向上液を供給して前記基板表面上に液膜を形成する工程と、
前記液膜を形成する工程にて形成された液膜が存在する状態の前記基板に対して、少なくとも一つのシャワーノズルである第２ノズルから前記異方性向上液を供給する工程と、
を有することを特徴とする接液処理方法。
【請求項５】
光配向法によって形成された配向膜を有する基板を搬送手段によって搬送しながら処理する基板処理方法であって、
前記基板に第１ノズルから気泡を除去した少なくともエチルラクテート液、ＩＰＡ、オゾン水のいずれかである異方性向上液を供給して前記基板表面上に液膜を形成する工程と、前記液膜を形成する工程にて形成された液膜が存在する状態の前記基板に対して、少なくとも一つのシャワーノズルである第２ノズルから異方性向上液を供給する工程と、を有する接液処理工程と、
前記接液処理工程で前記基板上に形成された前記液膜をリンス液に置換するリンス処理工程と、
前記リンス処理工程にてリンス液が供給された前記基板に気体を供給する乾燥工程と、を有することを特徴とする基板処理方法。